(57)【要約】      （修正有）【課題】植栽容器内の余剰な水および／または養液を筐体の外に排出することができ、植栽容器内に余剰な水および／または養液が溜まることによる根腐れを防止することができ、養液による筐体の腐食を防止することができる空気清浄緑化ユニットおよび空気清浄緑化装置を提供する。【解決手段】空気清浄緑化ユニット１は、正面側に植栽部１６を有する、土壌および／または基盤が充填された植栽容器と、正面側に開口を有するとともに、植栽容器を収納する収納空間を設けた筐体３と、導水部材４を備える空気清浄緑化ユニットであって、導水部材を、植栽容器の内底部に配置するとともに、導水部材の一部を植栽容器の内底部から収納空間３４に突出するように配置したことを特徴とする。【選択図】図１
2018102222.tif 000002
【特許請求の範囲】
【請求項１】
正面側に植栽部を有する、土壌および／または基盤が充填された植栽容器と、
正面側に開口を有するとともに、前記植栽容器を収納する収納空間を設けた筐体と、
導水部材を備える空気清浄緑化ユニットであって、
前記導水部材を、
前記植栽容器の内底部に配置するとともに、前記導水部材の一部を前記植栽容器の内底部から前記収納空間に突出するように配置したことを特徴とする空気清浄緑化ユニット。
【請求項２】
前記導水部材の一部を、
前記植栽容器の背面近傍の内底部から前記収納空間に突出するように配置したことを特徴とする請求項１に記載の空気清浄緑化ユニット。
【請求項３】
前記筐体の背面下部に、
水および／または養液を排出するための排出口を設けたことを特徴とする請求項１または請求項２に記載の空気清浄緑化ユニット。
【請求項４】
複数の前記空気清浄緑化ユニットを多段に配置し、
各空気清浄緑化ユニットの排出口を管で連結したことを特徴とする空気清浄緑化装置。
【発明の詳細な説明】
【技術分野】
【０００１】
本発明は、空気清浄緑化ユニットおよびこの空気清浄緑化ユニットを用いた空気清浄緑化装置に関するものである。詳しくは、植栽容器内の余剰な水および／または養液を筐体の外に排出することができる等、様々な効果を発現させることができる空気清浄緑化ユニットおよびこの空気清浄緑化ユニットを用いた空気清浄緑化装置に関するものである。
【背景技術】
【０００２】
従前から、室内や屋外に設置されることによって設置環境の空気清浄を行うとともに緑化も行う空気清浄緑化装置が各種開発（特許文献１、２）されており、本願出願人においても特許文献３などの空気清浄緑化装置を開発している。
【０００３】
このような空気清浄緑化装置は、空気（外気）を装置内に取り込む際に植栽部に通過させることによって清浄を行った上で取り込み、その後清浄された空気を装置外に排出するタイプのもの（特許文献１）と、空気（外気）を一旦装置内に取り込んだ後、植栽部の底から空気を植栽部に通過させることによって清浄し、清浄された空気を植栽部から装置外に排出するタイプのもの（特許文献２、３）の２つのタイプに大別される。
【先行技術文献】
【特許文献】
【０００４】
【特許文献１】特開２００８−２７２１１５号公報
【特許文献２】特開２００４−２５５２６２号号公報
【特許文献３】特開２０１６−１２９５０２号公報
【特許文献４】特開２００６−１２９８４６号公報
【特許文献５】特開２０１３−１９２５１６号公報
【発明の概要】
【発明が解決しようとする課題】
【０００５】
ここで、いずれのタイプの空気清浄緑化装置においても、植栽部に余剰に供給された水および／または養液、あるいは植栽部において用いられた水および／または養液を排出する必要がある。
【０００６】
しかしながら、特許文献１に記載の発明は、段落［００１３］に記載されているとおり、収容ポット２０の下方部分が常に水に浸漬されているものとなっている。この点、特許文献１に記載の発明は、収容ポット２０内にセラミックスボール２８に添加されているミネラルによって水の腐敗が防止される旨が記載されているが、このような防腐剤による防腐効果には限界があり、また根腐れについてはその発生を有効に防止することが困難であると考えられる。また、特許文献２、３に記載の発明においては、水および／または養液の排出に関する記載自体がないものとなっている。
【０００７】
なお、特許文献４、５には、導水布や排出ひもを用いて植栽からの水および／または養液の排出を行う技術が開示されている。
【０００８】
しかしながら、これらの技術は壁面緑化に関する技術であって、空気（外気）を植栽部に通過させることによって清浄を行う空気清浄緑化装置、すなわち空気（外気）を確実に植栽部に通過させるために、植栽容器および筐体の気密性を確保する必要がある空気清浄緑化装置に関するものではないことから、同技術をそのまま適用することはできないものとなっている。
【０００９】
さらに、空気清浄緑化装置においては空気清浄作用を有する土壌および／または基盤、あるいは活性炭などの空気清浄剤を用いることになるが、このような空気清浄物質は、水および／または養液に濡れた場合に塩化物イオンやアルカリ性物質を溶出することがある。
ここで、空気清浄緑化装置は、大別される２つのいずれのタイプも植栽部（植栽容器）が筐体に収納されている構造となっている。すなわち、空気清浄緑化装置は、空気（外気）が確実に植栽部（植栽容器）を通過するようにするとともに、取り込んだ空気（外気）や植栽容器を通過した空気が筐体の外に漏れ出ないように気密性を確保する必要があるのである。
従って、空気清浄緑化装置において、塩化物イオンを含んだ水および／または養液、あるいはアルカリ性になった水および／または養液が筐体に滞留した場合には、筐体や場合によっては植栽容器までもが腐食してしまうことになり、気密性が低下し、その結果清浄効果が低下してしまうという問題もあるのである。
【００１０】
今般、本願発明者らは鋭意検討を重ねた結果、導水部材を特定の形態で配置することによって、従来の問題点を解決することができる空気清浄緑化ユニットおよびこの空気清浄緑化ユニットを用いた空気清浄緑化装置を実現することができるという知見を得るに至った。
【００１１】
本発明は、上記した従来の問題点に鑑みてなされたものであって、以下の効果を発現させることができる空気清浄緑化ユニットの提供を目的とするものである。
１）植栽容器内の余剰な水および／または養液を筐体の外に排出することができる。
２）植栽容器内に余剰な水および／または養液が溜まることによる根腐れを防止することができる。また、余剰な水および／または養液が、土壌および／または基盤の空隙を塞ぐことによる通気量の低下を防止することもできる。
３）植栽容器の接合部や植栽容器と筐体の隙間などからの水および／または養液の漏れを防止することができる。
４）植栽容器内の余剰な水および／または養液を筐体の外に排出することができることから、土壌および／または基盤、あるいは活性炭などの空気清浄物質を用いた場合に排出される塩化物イオンを含んだ水および／または養液、あるいはアルカリ性の水および／または養液による筐体の腐食を防止することができる。その結果、植栽容器を収納した筐体の気密性をより確保することができ、清浄効果を向上させることができる。
【課題を解決するための手段】
【００１２】
上記目的を達成するために、本発明の請求項１に係る空気清浄緑化ユニットは、正面側に植栽部を有する、土壌および／または基盤が充填された植栽容器と、正面側に開口を有するとともに、植栽容器を収納する収納空間を設けた筐体と、導水部材を備える空気清浄緑化ユニットであって、導水部材を、植栽容器の内底部に配置するとともに、導水部材の一部を植栽容器の内底部から収納空間に突出するように配置したことを特徴とする。
【００１３】
本発明の請求項２に係る空気清浄緑化ユニットは、導水部材の一部を、植栽容器の背面近傍の内底部から収納空間に突出するように配置したことを特徴とする。
【００１４】
本発明の請求項３に係る空気清浄緑化ユニットは、筐体の背面下部に、水および／または養液を排出するための排出口を設けたことを特徴とする。
【００１５】
本発明の請求項４に係る空気清浄緑化装置は、複数の空気清浄緑化ユニットを多段に配置し、各空気清浄緑化ユニットの排出口を管で連結したことを特徴とする。
【発明の効果】
【００１６】
本発明の空気清浄緑化ユニット（空気清浄緑化装置）によれば、植栽容器を筐体に収納するとともに、導水部材を特定の形態で配置することによって、以下の効果を発現させることができる。
１）植栽容器内の余剰な水および／または養液を筐体の外に排出することができる。
２）植栽容器内に余剰な水および／または養液が溜まることによる根腐れを防止することができる。また、余剰な水および／または養液が、土壌および／または基盤の空隙を塞ぐことによる通気量の低下を防止することもできる。
３）植栽容器の接合部や植栽容器と筐体の隙間などからの水および／または養液の漏れを防止することができる。
４）植栽容器内の余剰な水および／または養液を筐体の外に排出することができることから、土壌および／または基盤、あるいは活性炭などの空気清浄物質を用いた場合に排出される塩化物イオンを含んだ水および／または養液、あるいはアルカリ性の水および／または養液による筐体の腐食を防止することができる。その結果、植栽容器を収納した筐体の気密性をより確保することができ、清浄効果を向上させることができる。
【００１７】
本発明の請求項２に係る空気清浄緑化ユニットによれば、導水部材の一部を特定の配置とすることによって、植栽容器内の余剰な水および／または養液をより効率良く筐体に排出することができる。
【００１８】
本発明の請求項３に係る空気清浄緑化ユニットによれば、排出口を筐体の背面下部に設けることによって、導水部材によって収納空間（筐体）内に導かれた水および／または養液をより効率良く筐体の外に排出することができる。
【００１９】
本発明の請求項４に係る空気清浄緑化装置によれば、本発明に係る空気清浄緑化ユニットを多段に配置するとともに、各空気清浄緑化ユニットの排出口を管で連結することによって、植栽容器内の余剰な水および／または養液を効率良く排出することができる。
【図面の簡単な説明】
【００２０】
【図１】本発明の空気清浄緑化ユニット（空気清浄緑化装置）の第一の実施形態を示す断面模式図である。
【図２】本発明の空気清浄緑化ユニット（空気清浄緑化装置）の第一の実施形態における導水部材の別の態様を示す断面模式図である。
【図３】図１、２の空気清浄緑化ユニット（空気清浄緑化装置）に用いられる植栽容器の構造を示す分解斜視図である。
【図４】図１、２の空気清浄緑化ユニット（空気清浄緑化装置）に用いられる植栽容器と筐体とファンの位置関係を示す分解斜視図である。
【図５】図１、２の空気清浄緑化ユニット（空気清浄緑化装置）に用いられる導水部材を示す模式図である。
【図６】図１の空気清浄緑化装置に用いられる筐体とファンの取付状態を示す断面模式図である。
【図７】本発明の空気清浄緑化ユニットの第二の実施形態を示す図（図７（ａ）は模式図、図７（ｂ）は断面模式図）である。
【図８】本発明の空気清浄緑化ユニットの第三の実施形態を示す図（図８（ａ）は模式図、図８（ｂ）は断面模式図）である。
【発明を実施するための形態】
【００２１】
本発明の実施形態を図面に基づいて説明する。なお、以下に述べる実施形態は本発明を具体化した一例に過ぎず、本発明の技術的範囲を限定するものでない。
図１は本発明の空気清浄緑化ユニット（空気清浄緑化装置）の第一の実施形態を示す断面模式図であり、図２は発明の空気清浄緑化ユニット（空気清浄緑化装置）の第一の実施形態における導水部材の別の態様を示す断面模式図であり、図３は図１、２の空気清浄緑化ユニット（空気清浄緑化装置）に用いられる植栽容器の構造を示す分解斜視図であり、図４は図１、２の空気清浄緑化ユニット（空気清浄緑化装置）に用いられる植栽容器と筐体とファンの位置関係を示す分解斜視図であり、図５は図１、２の空気清浄緑化ユニット（空気清浄緑化装置）に用いられる導水部材を示す模式図であり、図６は図１の空気清浄緑化装置に用いられる筐体とファンの取付状態を示す断面模式図である。
【００２２】
（基本構造）
まず、本発明に係る空気清浄緑化ユニットおよび空気清浄緑化装置の基本構成を図１、２に示す第一の実施形態に基づいて説明する。
本発明の空気清浄緑化ユニット１は、植栽容器２と筐体３と導水部材４とファン５を主要な構成要件として構成されているものである。
【００２３】
また、本発明の空気清浄緑化装置６は、複数の空気清浄緑化ユニット１を多段に配置し、各空気清浄緑化ユニット１の植栽容器２に給水配管７を接続するとともに、各空気清浄緑化ユニット１の筐体３の排出口８に排水配管９を接続することを基本構造とするものである。
【００２４】
なお、図１、２に示す空気清浄緑化装置６においては、筐体３の背面には筐体３の背面を覆う背面カバー１０が設けられており、空気清浄緑化装置６の下方（筐体３の下）には排気ファン１１、ポンプ１２、タンク１３、制御装置１４が設けられており、空気清浄緑化装置６の下部には設置脚１５が取り付けられている構造となっている。
【００２５】
さらに、図１、２に示す空気清浄緑化装置６は、複数の空気清浄緑化ユニット１を上下に多段に配置した形態となっているが、本発明の空気清浄緑化装置はこの形態に限定されるものではなく、空気清浄緑化ユニット１が１つのみからなる形態や、複数の空気清浄緑化ユニット１を左右に複数配置する形態など各種の形態を採用することができる。
【００２６】
次に、各構成要件を図１〜６に基づいて説明する。
【００２７】
（植栽容器）
本発明に用いられる植栽容器２は、図１〜４に示すように、縦長の直方体の箱型形状をした容器であり、正面側には植栽が植えられる植栽部１６が設けられている構造となっているものである。また、背面側は全面に通気孔１７が設けられ、かつ上方に給水配管７を挿入するための挿入口１８が設けられている背面板１９によって閉じられている構造となっているものである。さらに、上面側は植栽容器２の内部に挿入した給水配管７の先端部を支持するための支持治具２０を取付けた上面板２１によって閉じられている構造となっているものである。そして、容器内部には土壌および／または基盤が充填される構造となっているものである。
【００２８】
さらに、植栽容器２の下面板２２には導水部材の一部４ａを突出させることができる挿入口２３が設けられた構造となっているものである。
このように、導水部材の一部４ａを植栽容器２の内底部から筐体３に突出させることができる構造とすることによって、植栽容器２内の余剰な水および／または養液を筐体３に排出することができるのである。また、植栽容器２内に水および／または養液が溜まることによる根腐れを防止することができるのである。また、余剰な水および／または養液が、土壌および／または基盤の空隙を塞ぐことによる通気量の低下を防止することもできるのである。さらに、植栽容器２の接合部や植栽容器２と筐体３の隙間などからの水および／または養液の漏れを防止することができるのである。
【００２９】
なお、植栽部１６の構造については特に限定されるものではなく、図１〜３に示すようなカップ状だけでなく、円筒状、角筒状、円錐状、おわん状など各種の構造のものを用いることができる。また、場合によっては植栽部を設けずに土壌および／または基盤を充填した植栽容器２に植物を直接植えることもできる。
そしてその中でも、図１〜４に示すように、植栽容器２の正面側を複数の開口２４と通気孔２５を設けた正面板２６で閉じ、上端部２７にフランジ２８を設けるとともに側面に通気溝２９を備えるカップ状容器３０と、フランジ３１を設けるとともに上記上端部２７の外周に着脱自在に装着されるリング状部材３２とを用いる構造とすれば、空気漏れや水漏れなどを起こすことなく、密閉性を確保しながら植栽部１６を植栽容器２に設けることができるので好適である。
すなわち、植栽容器２の正面側を正面板２６で閉じた後、植栽容器２（正面板２６）の内側からカップ状容器３０を上端部２７が突出するように開口２４に挿入し、植栽容器２（正面板２６）の外側からリング状部材３２を突出した上端部２７に装着することによって、両フランジ２８、３１による挟持効果が発現し、空気漏れや水漏れなどを起こすことなく、密閉性を確保しながら植栽部１６を植栽容器２に設置することができるのである。
また、カップ状容器３０の上端部２７とリング状部材３２とは螺合されることによって植栽容器２（正面板２６）に装着される構造とすれば、空気漏れや水漏れなどを防止しつつ、作業の効率化を図ることができるので好適である。
【００３０】
（筐体）
本発明に用いられる筐体３は、図１、２、４に示すように、縦長の直方体の箱型形状をした容器であり、正面側に開口３３を有するとともに、植栽容器２を収納する収納空間３４が設けられた構造となっているものである。また、収納空間３４に植栽容器２が収納された際に植栽容器２と筐体３との間に通気空間３５が形成される（植栽容器２と筐体３との間の収納空間３４が通気空間３５となる）構造となっているものである。さらに、背面板３６の下方に給水配管７を筐体３内に挿入する挿入口３７を設けた構造となっているものである。
【００３１】
なお、図１、２に示す空気清浄緑化装置６のように、複数の空気清浄緑化ユニット１を上下に多段に配置し、各筐体３の背面に背面カバー１０を設けた形態を採用した場合には、通気空間３５は、植栽容器２と収納空間３４によって形成された通気空間３５ａに加えて、筐体３の背面と背面カバー６との間に形成された通気空間３５ｂも含まれることになる。
【００３２】
また、筐体３には排出口８が設けられており、筐体３内に排出された植栽容器２内の余剰な水および／または養液を筐体３の外に排出する構造となっている。
【００３３】
なお、排出口８の形状としては特に限定されるものではないが、図１、２、４に示すように、筐体３に設けた孔に円筒形の管を筐体３の外に突出するように接続した構造とすれば、複数の空気清浄緑化ユニット１を配置する形態を採用した際、各空気清浄緑化ユニット１の排出口８の管をゴムチューブなどで連結することができ、各空気清浄緑化ユニット１から排出された水および／または養液をまとめることができるので好適である。
【００３４】
また、排出口８の位置についても特に限定されるものではないが、図１、２、４に示すように、筐体３の背面板３６の下方に設ければ、植栽容器２から排出された余剰な水および／または養液を筐体内に滞留させることなく速やかに筐体の外に排出することができるので好適である。さらに、筐体３の底面を排出口８に向かって傾斜する構造とすれば、植栽容器２から排出された余剰な水および／または養液をより速やかに筐体の外に排出することができるので好適である。
【００３５】
さらに、筐体３には正面側の開口３３とは別の開口３８が設けられており、係る別の開口３８にはファン５が設置されている構造となっているものである。
なお、別の開口３８（ファン５を含む）の位置については、正面側の開口３３と別の位置に設けられていれば特に限定されるものではなく、筐体３の上面、下面、側面のどの位置にでも設けることができる。そしてその中でも、図１、２、４、５に示すように、筐体３の背面板３６の中央部に別の開口３８（ファン５を含む）を設ける構造とすれば、植栽容器２（植栽部１６）を通過した空気の通気空間３５における通過距離を短くすることができることになり、空気の排出効率をより向上させることができるので好適である。
【００３６】
（導水部材）
導水部材４としては、植栽容器内の余剰な水および／または養液を筐体３の外に排出することができるものであれば特に限定されるものではなく、各種の構造のものを用いることができるが、［００２８］に記載したとおり、導水部材の一部４ａを植栽容器２の挿入口２３から突出させることができる形状とすることが必要である。そして各種の構造の中でも、図５に示すように、不織布などの導水性素材からなるシート部材を導水部材４として用い、係るシート部材の一辺に２つの切り込みを入れて舌片状としたものを導水部材の一部４ａとしたシート部材を用いることが好ましい。
【００３７】
さらに、図２に示すように、導水部材の一部４ａを長くするとともに先端を排出口８の中（円筒形の管の中）にまで挿入する形態とすれば、導水部材の一部４ａを筐体３の内面に接触させることなく、植栽容器２の内底面から筐体３の外にまで突出させることができることになり、筐体３の内部が水および／または養液によって濡れることを防止することができ、その結果、塩化物イオンを含んだ水および／または養液、あるいはアルカリ性の水および／または養液による筐体３の腐食をより有効に防止することができるので好適である。
【００３８】
（ファン）
ファン５については、空気を吸気し排気することができるものであれば特に限定されるものではなく、各種のファンを用いることができる。
また、ファン５の筐体３（別の開口３８）への設置形態についても特に限定されるものではないが、図６に示すように、取付板３９を収納空間３４側からビス４０ａなどを用いて別の開口３８に取付け、ファン５は筐体３の外側から係る取付板３９にビス４０ｂなどを用いて取付ける形態を採用することが好ましい。
すなわち、このような設置形態を採用すれば、空気清浄緑化装置６の設置後にファン５のメンテナンスや交換を行う際、空気清浄緑化装置６の正面側からしか作業ができない場合には筐体３から植栽容器２を取り外した後、ビス４０ａを外すことによってファン５を取付板３９ごと取り出してメンテナンスや交換を行うことができるし、逆に空気清浄緑化装置６の背面側からしか作業ができない場合には背面カバー１０を取り外した後、ビス４０ｂを外すことによってファン５を取り出してメンテナンスや交換を行うことができるので好適である。
【００３９】
（給水配管）
給水配管７としては、ポンプ１２によってタンク１３から水や養液を植栽容器２に給水することができるものであれば材質などは特に限定されるものではなく、ゴムチューブやフレキシブルホースなど各種の配管を用いることができる。
また、給水配管７の配置形態についても特に限定されるものではないが、図１、２に示すように、筐体３の背面板３６の下方に設けた挿入口３７から筐体３内に給水配管７を挿入するとともに、植栽容器２の背面板１８の上方に設けた開口１９から植栽容器２の内部に給水配管７を挿入する形態を採用すれば、収納空間３４内における給水配管７の長さが筐体３の下方から植栽容器２の上方まであることになる。そしてその結果、図１の上段の空気清浄緑化ユニット１のように、係る長さ分だけ植栽容器２を前方に引き出すことができ、給水配管７を植栽容器２に挿入した状態のまま、植栽容器２のメンテナンスや、植栽や土壌の交換などを行うことができるので好適である。
また、植栽容器２の内部に挿入した給水配管７は、植栽容器２の上面板の内側に設けた支持治具２０によって給水配管７の先端部をカップ状容器２２の真上に位置するように調節すれば、水および／または養液を効率的にカップ状容器２２（植栽部１６）に供給することができることになるので好適である。
【００４０】
（排水配管）
排水配管９としては、筐体３の排出口８に連結され、筐体３内に排出された植栽容器２内の余剰な水および／または養液、あるいは植栽部において用いられた水および／または養液を筐体３の外に排出することができるものであれば材質などは特に限定されるものではなく、ゴムチューブやフレキシブルホースなど各種の配管を用いることができる。
なお、図１、２に示す空気清浄緑化装置６は、複数の空気清浄緑化ユニット１を上下に多段に配置した形態となっていることから、各空気清浄緑化ユニット１の筐体３の排出口８には、まず連結部材４１（具体的にはＬ字状の連結部材４１ａまたはＴ字状の連結部材４１ｂ）を接続し、この連結部材４１を排水配管９で連結するようにすれば排水経路を１つにまとめることができるとともに、背面カバー１０内の空気の流れをスムースにすることができるので好適である。
【００４１】
次に、上記のように構成された空気清浄緑化ユニット１（空気清浄緑化装置６）の動作および作用を説明する。
【００４２】
まず、図３に示すように、植栽容器２（正面板２６）の内側からカップ状容器３０を上端部２７が突出するように挿入し、植栽容器２（正面板２６）の外側からリング状部材３２を装着することによって、植栽部１６を植栽容器２に作製する。
次に、図４に示すように、植栽容器２の上面側を支持治具２０を取付けた上面板２１によって閉じた後、背面側から土壌および／または基盤を充填し、背面板１９によって背面を閉じることによって、植栽部１６に植物を植えることができる形態を作製する。
【００４３】
次に、図６に示すように、取付板３９を筐体３の別の開口３８に収納空間３４側からビス４０ａなどを用いて取付け、ファン５を筐体３の外側から係る取付板３９にビス４０ｂなどを用いて取付ける。
【００４４】
次に、ファン５を取付けた筐体３を３つ上下に多段に配置し、背面カバー１０、排気ファン１１、ポンプ１２、タンク１３、制御装置１４、設置脚１５などを取付ける。
【００４５】
次に、各筐体３の排出口８に連結部材４１（４１ａ、４１ｂ）を接続し、この連結部材４１（４１ａ、４１ｂ）を排水配管９で連結し、先端をタンク１３内に挿入する。
【００４６】
次に、タンク１３に挿入した給水配管７ａをポンプ１２の吸込口（図示せず）に接続する。
次に、ポンプ１２の吐出口（図示せず）に給水配管７ｂの一方の先端を接続するとともに、給水配管７ｂの他方を各筐体３の背面板３６の下方に設けた挿入口３７から各筐体３内に挿入するとともに、植栽容器２の背面板１９の上方に設けた挿入口１８から植栽容器２の内部に挿入する。
次に、植栽容器２の上面板の内側に設けた支持治具２０によって、植栽容器２の内部に挿入した給水配管７ｂの他方の先端をカップ状容器３０の真上に位置するように配置する。
【００４７】
次に、上記にて植栽部１６を設置し、土壌および／または基盤を充填し、給水配管７ｂを挿入した植栽容器２を筐体３（収納空間３４）に収納し、ビス（図示せず）などを用いて筐体３に取付け、植栽部１６に植物を植えて空気清浄緑化ユニット１（空気清浄緑化装置６）の作製を完成する。
【００４８】
そして、上記のようにして作製した空気清浄緑化ユニット１（空気清浄緑化装置６）を空気清浄や緑化を行いたい場所に設置する。
【００４９】
次に、制御装置１４によってファン５を稼働、制御することで通気空間３５ａ内の空気の排出を開始する。そうすると、通気空間３５ａ内の空気が排出されることによって、外気が植栽部１６に取り込まれることになり、植栽部１６内に充填された土壌や基盤によって空気清浄が行われることになる。
【００５０】
また、制御装置１４によってポンプ１２を稼働、制御することで、植栽容器２（植栽部１６）に水および／または養液を適宜供給する。
【００５１】
そしてこの際、余剰な水および／または養液は水勾配や重力によって植栽容器２の内底面に流れていくことになるが、植栽容器２の下面板２２には導水部材４が設けられていることから、余剰な水および／または養液、あるいは植栽部において用いられた水および／または養液は導水部材４に吸い込まれることになる。ここで係る導水部材の一部４ａは植栽容器２の挿入口２３から筐体３に突出されるように配置されていることから、余剰な水および／または養液、あるいは植栽部において用いられた水および／または養液は筐体３内（通気空間３５内）に排出されることになり、加えて植栽容器内に余剰な水および／または養液が溜まることによる根腐れを防止することができるのである。
また、植栽容器の接合部や植栽容器と筐体の隙間などからの水および／または養液の漏れを防止することができるのである。
【００５２】
さらに、図２に示すように、導水部材の一部４ａを長くし、植栽容器２から突出させた導水部材の一部４ａの先端を円筒形の管の中にまで挿入する形態を採用すれば、植栽容器内の余剰な水および／または養液を筐体３の内面に接触させることなく筐体３の外に排出することができ、土壌および／または基盤、あるいは活性炭などの空気清浄物質を用いた場合に排出される塩化物イオンを含んだ水および／または養液、あるいはアルカリ性の水および／または養液による筐体３の腐食をより有効に防止することができるのである。またその結果、植栽容器を収納した筐体の気密性をより確保することができ、清浄効果を向上させることができるのである。
【００５３】
（第二の実施形態）
次に、本発明の空気清浄緑化ユニットの別の実施形態について説明する。図７は本発明の空気清浄緑化ユニットの第二の実施形態を示す図（図７（ａ）は模式図、図７（ｂ）は断面模式図）である。
本実施形態は、第一の実施形態の空気清浄緑化ユニット１の植栽部１６を上向きに向けて設置する場合の形態である。
具体的には、１）給水配管７に予め複数の穴を開けておき、係る給水配管７を植栽部１６の上方でかつ各カップ状容器３０の横を貫くように配置する、２）排出口８を筐体３の下面板４２に設置する、３）ファン５を筐体３の下面板４２および側面板４３に設置すること以外は第一の実施形態の空気清浄緑化ユニット１と同様の構成となっているものである。
なお、係る実施形態においては、ファン５を下面板４２または側面板４３のいずれかにのみ設置することもできる。ここで、ファン５を下面板４２にのみ設置する場合には、下面板４２に通気孔を設けてしまうと、植栽容器２内における空気の通過方向と水および／または養液の通過方向が同じになってしまい、水勾配や重力によって下面板４２方向に流れていく水および／または養液によって、植栽容器２内の空気の流れ（植栽容器２内からの空気の排出）が妨げられることになることから、側面板４３に通気孔を設けることが好ましい。
【００５４】
（第三の実施形態）
次に、本発明の空気清浄緑化ユニットのさらに別の実施形態について説明する。図８は本発明の空気清浄緑化ユニットの第三の実施形態を示す図（図８（ａ）は模式図、図８（ｂ）は断面模式図）である。
本実施形態は、第一の実施形態の空気清浄緑化ユニット１の植栽部１６を横向きに向けて設置する場合の形態である。
具体的には、１）給水配管７に予め複数の穴を開けておき、係る給水配管７を各カップ状容器３０の上方を貫くように配置する、２）排出口８を筐体３の下面板４２に設置する、３）ファン５を筐体３の背面板３６に設置すること以外は、第一の実施形態の空気清浄緑化ユニット１と同様の構成となっているものである。
【産業上の利用可能性】
【００５５】
本発明の空気清浄緑化装置は、屋外や屋内の空気清浄および緑化に用いることができる。
【符号の説明】
【００５６】
１    空気清浄緑化ユニット
２    植栽容器
３    筐体
４    導水部材
４ａ    導水部材の一部
５    ファン
６    空気清浄緑化装置
７    給水配管
７ａ    給水配管
７ｂ    給水配管
８    排出口
９    排水配管
１０  背面カバー
１１  排気ファン
１２  ポンプ
１３  タンク
１４  制御装置
１５  設置脚
１６  植栽部
１７  （背面板の）通気孔
１８  （植栽容器の）挿入口
１９  （植栽容器の）背面板
２０  支持治具
２１  上面板
２２  （植栽容器の）下面板
２３  （下面板の）挿入口
２４  （正面板の）開口
２５  （正面板の）通気孔
２６  正面板
２７  上端部
２８  フランジ
２９  通気溝
３０  カップ状容器
３１  フランジ
３２  リング状部材
３３  （筐体の）開口
３４  収納空間
３５  通気空間
３６  （筐体の）背面板
３７  （筐体の）挿入口
３８  （筐体の）別の開口
３９  取付板
４０  ビス
４０ａ  ビス
４０ｂ  ビス
４１  連結部材
４１ａ  （Ｌ字状の）連結部材
４１ｂ  （Ｌ字状の）連結部材
４２  （筐体の）下面板
４３  側面板
【図１】
2018102222.tif 000003
【図２】
2018102222.tif 000004
【図３】
2018102222.tif 000005
【図４】
2018102222.tif 000006
【図５】
2018102222.tif 000007
【図６】
2018102222.tif 000008
【図７】
2018102222.tif 000009
【図８】
2018102222.tif 000010